(57)【要約】    【課題】消費電力が少ない双方向リモコンユニットを提供する。    【解決手段】双方向リモコンユニット２０は、二次電池から成る電源部２７と、テレビジョン受像機から送信されてくるコマンド信号や映像・音声信号等を受信する受信部２５と、テレビジョン受像機から受信した映像を表示する表示部２３と、電源部２７の電圧レベルを検知する検知部２６とを備える。双方向リモコンユニット２０の電源部２８の二次電池の容量が低下したときは、双方向リモコンユニット２０はテレビジョン受像機に静止画像表示要求のコマンドを送信して、テレビジョン受像機に動画像でなく、静止画像を送信させる。【選択図】      図３
2006203333.tif 000002
【特許請求の範囲】
【請求項１】
前記テレビジョン受像機が送信する画像を取得する取得手段と、当該取得した画像を表示する表示部とを備え、前記テレビジョン受像機と双方向通信可能であると共に前記テレビジョン受像機を遠隔操作可能な双方向リモートコントロールユニットにおいて、
前記リモートコントロールユニットの電源の状態を検知する検知手段と、前記電源状態に応じて、前記表示部が表示する画像を動画像から静止画像に切り換える切換え手段とを備えることを特徴とする双方向リモートコントロールユニット。
【請求項２】
前記電源は電池から成り、前記電源の状態は前記電池の電圧であることを特徴とした請求項１記載の双方向リモートコントロールユニット。
【請求項３】
前記電池は充放電可能な二次電池から成ることを特徴とする請求項２記載の双方向リモートコントロールユニット。
【請求項４】
前記電池は充放電できない一次電池から成ることを特徴とする請求項２記載の双方向リモートコントロールユニット。
【請求項５】
前記電池の電圧が規定電圧未満になったとき、前記一次電池の交換を警告する警告手段を備えることを特徴とする請求項４記載の双方向リモートコントロールユニット。
【請求項６】
前記電池の電圧が規定電圧以上のときは、前記テレビジョン受像機が送信する画像が動画像であることを特徴とする請求項２乃至５のいずれか１項に記載の双方向リモートコントロールユニット。
【請求項７】
前記切換え手段は、前記電池の電圧が規定電圧未満になったとき、前記テレビジョン受像機に送信画像を動画像から静止画像に切り換えるように要求する要求手段を備えることを特徴とする請求項６記載の双方向リモートコントロールユニット。
【請求項８】
前記切換え手段は、前記電池の電圧が規定電圧未満になったとき、前記テレビジョン受像機から取得した動画像を静止画像に変換する変換手段を備えることを特徴とする請求項６記載の双方向リモートコントロールユニット。
【発明の詳細な説明】
【技術分野】
【０００１】
本発明は、双方向に通信可能な双方向リモートコントロールユニット（以下「双方向リモコンユニット」という）に関し、テレビジョン受像機と相互に制御し合う双方向リモコンユニット、特に、双方向リモコンユニット自体で検知した電源状態をテレビジョン受像機へ送信する映像、又はテレビジョン受像機から送信されてくる映像を直接制御する双方向リモコンユニットに関する。
【背景技術】
【０００２】
従来の双方向リモコンユニットは、テレビジョン受像機の画面上で行う操作に関する情報を双方向リモコンユニット上の表示器に移動させて、そこで操作を行うように構成され、これにより、視聴者の利便性を向上させて、商品価値を高めることができる。
【０００３】
さらに、ビデオ機器を操作する双方向リモコンユニットとして、ビデオ機器の既記録済みの磁気テープの再生情報を表示し、且つ画像を表示／非表示とする切り換えスイッチを内蔵しているものがある（例えば、特許文献１参照）。
【０００４】
このような双方向リモコンユニットは、電源として二次電池を内蔵している。
【特許文献１】特開平２００１−１０３３３４号公報
【発明の開示】
【発明が解決しようとする課題】
【０００５】
しかしながら、このような従来の双方向リモコンユニットでは、二次電池の容量が双方向リモコンユニットの電力消費量に対して小さくその電圧レベルが規定電圧以下になり易いといった欠点があった。
【０００６】
本発明の目的は、消費電力が少ない双方向リモコンユニットを提供することにある。
【課題を解決するための手段】
【０００７】
上記目的を達成するために、請求項１記載の双方向リモートコントロールユニットは、前記テレビジョン受像機が送信する画像を取得する取得手段と、当該取得した画像を表示する表示部とを備え、前記テレビジョン受像機と双方向通信可能であると共に前記テレビジョン受像機を遠隔操作可能な双方向リモートコントロールユニットにおいて、前記リモートコントロールユニットの電源の状態を検知する検知手段と、前記電源状態に応じて、前記表示部が表示する画像を動画像から静止画像に切り換える切換え手段とを備えることを特徴とする。
【発明の効果】
【０００８】
本発明によれば、リモートコントロールユニットの電源の状態を検知し、電源状態に応じて、表示部が表示する画像を動画像から静止画像に切り換えるので、リモートコントロールユニットの消費電力を低減することができる。
【発明を実施するための最良の形態】
【０００９】
以下、本発明の実施の形態を図面を参照しながら説明する。
【００１０】
図１は、本発明の実施の形態に係る双方向リモコンユニットの内部構成を示すブロック図である。
【００１１】
図１において、双方向リモコンユニット２０は、二次電池から成る電源部２７と、電源部２７に電源線Ｌ３０を介してＡＣアダプタ等の外部電源からの電源を供給するパワージャックを具備した電源入力部２８とを備える。双方向リモコンユニット２０は、さらに、中央演算処理装置ＣＰＵ２１と、ＣＰＵ２１のデータの記憶や映像信号の加工等を行うメモリ２２と、後述する図２のテレビジョン受像機の番組選局、輝度、コントラスト、音量、内蔵電池の充電状態、その他のコマンド信号をＣＰＵ２１の制御に基づいてテレビジョン受像機に送信する送信部２４と、テレビジョン受像機から送信されてくるコマンド信号や映像・音声信号等を受信する受信部２５と、テレビジョン受像機から受信した映像を表示する表示部２３と、電源部２７に信号線Ｌ２８を介して接続され、電源部２７の電圧レベルを検知する検知部２６とを備え、これらは、信号線L２０を介して互いに接続されている。
【００１２】
図２は、図１の双方向リモコンユニットによって操作されるテレビジョン受像機の内部構成のブロック図である。
【００１３】
図２において、地上波デジタルチューナ１は、図示しない地上波アンテナからの地上波デジタル信号の空中波を信号線L１を介して受信し、帯域フィルタを通過させた後、信号線Ｌ２を介して復調部２に出力する。復調部２は、伝送形態に合致した復調処理を施すと共に、誤り訂正処理等を行い、所望のＭＰＥＧ２トランスポートストリーム（Ｔ／Ｓ）をデマルチプレクサ（ＤＥＭＵＸ）３に信号線L３を介して送出する。
【００１４】
一方、ＢＳ／ＣＳチューナ８は、図示しないパラボナアンテナから衛星波を信号線L８を介して受信して、ダウンコンバータ等を通過させた後、信号線L９を介して復調部９に出力する。復調部９は、伝送形態に合致した復調処理を施すと共に、誤り訂正処理等を行い、所望のＭＰＥＧ２トランスポートストリーム（Ｔ／Ｓ）をデマルチプレクサ３に信号線L１０を介して送出する。
【００１５】
デマルチプレクサ３は、トランスポートストリーム（Ｔ／Ｓ）から所望の番組のＭＰＥＧ２の映像データ、ＭＰＥＧ２の音声データ、及び付加情報に分離し、分離したＭＰＥＧ２の音声データを図示しない音声デコーダで復号し、オーディオデータとしてＨＤ映像デコーダ４に出力する。これにアンプ（図示せず）、スピーカ（図示せず）を接続すれば受信した番組の音声を聞くことができる。
【００１６】
また、ＨＤ映像デコーダ４は、信号線L４を介して入力されたＭＰＥＧ２の映像データを復号して、ラスタースキャン形式の表示フォーマットに変換した後、信号線L５を介して番組映像ソースとして解像度変換部５に送出する。
【００１７】
解像度変換部５は、マトリクス回路でＹＵＶの色差信号からＲＧＢ信号に変換したり、Ｉ−Ｐ変換回路で走査方式をインタレースからプログレッシブに変換した後、拡大・縮小部で、ＣＰＵ１０が表示フォーマット（表示ライン数、ドット数や色数）と予め設定された画面レイアウト情報に基づいて設定した解像度変換パラメータ（拡大率・縮小率・拡大縮小の重み付けフィルタ係数等）を用いて拡大・縮小・等倍処理を行い、処理信号を信号線L６を介してデジタルＩ／Ｆ６へ送出する。デジタルＩ／Ｆ６は、画像データを解像度に対応したフォーマットに変換して信号線L７を介して表示器７に出力する。
【００１８】
また、復調部２及び復調部９から夫々出力されたＭＰＥＧ２トランスポートストリーム（Ｔ／Ｓ）はＣＰＵ１０の制御によりセレクタ１１及びコネクタ１２を介して着脱可能な記録装置（ＨＤＤ）１３に記憶され、必要に応じて呼び出される。
【００１９】
セレクタ１１は、復調部２及び復調部９のいずれか一方をＣＰＵ１０の制御下で選択する。コネクタ１２はＨＤＤ１３の制御を行う双方向インタフェースである。
【００２０】
バスＩ／Ｆ１４は、ＣＰＵ１０の制御により、ＨＤＤ１３に記憶された画像データを信号線L００を介して外部に送信し、又は画像データを信号線L００を介して外部から受信する送受信機能を有するネットワーク・インタフェースである。ＨＤＤ１３に記憶された画像データは、信号線L１２，L１１を介してデマルチプレクサ３へ転送され、さらに、ＨＤ映像デコーダ４、信号線L１４、及びバスＩ／Ｆ１４を介して外部へ送信される。バスＩ／Ｆ１４は、有線又は無線（IEEE Std 802.11）のいずれであってもよい。
【００２１】
メモリ１６は、ＣＰＵ１０の記憶装置として使用される。リモコンＩ／Ｆ１７は、リモコン２０によって番組の選局、音量、電源のＯＮ／ＯＦＦ、コントラスト等が調整、さらには番組選局された地上波デジタルチューナ１やＢＳ／ＣＳチューナ８からの映像信号をＣＰＵ１０の制御により転送する送受信部を内蔵した制御部である。
【００２２】
以下、図１の双方向リモコンユニット及び図２のテレビジョン受像機の作動を説明する。
【００２３】
図１及び図２において、双方向リモコンユニット２０内の検知部２６は、常時電源部２７の電圧レベルを監視している。例えば、ACアダプタのような外部電源より電源線L３０を介して電源が電源入力部２８に供給されると、電源部２７への電源供給が信号線L２９を介して電源供給される。検知部２６は信号線L２８上の電圧レベルを監視し、予め設定されている電圧レベルに達していれば、電源部２７の二次電池は満充電状態にあると判断し、逆に設定された電圧レベル以下であれば、充電中又は電圧低下中と判断する。
【００２４】
なお、充電中か電圧低下中であるかの判断は、検知部２６が監視している信号線L２９の電圧レベルに基づいて行われる。即ち、信号線Ｌ２９の電圧レベルが規定電圧以上であれば、外部電源で駆動されるか又は充電中であり、規定電圧未満であれば電圧低下中であると判断する。「電圧低下中」は、充放電可能な二次電池のみで双方向リモコンユニット２０が駆動されていることを意味する。
【００２５】
双方向リモコンユニット２０が外部電源で直接駆動されている（同時に、電源部２７が充電されている）とすると、ＣＰＵ２１は検知部２６からの信号を信号線L２０を介して認識する。これにより、ＣＰＵ２１は信号線L２０を介して送信部２４へ双方向リモコンユニット２０が満充電の状態又は充電の状態で駆動されていることを送信部２４を経由して無線でテレビジョン受像機のリモコンＩ／Ｆ１７へ送信する。
【００２６】
テレビジョン受像機のＣＰＵ１０は、このコマンドを解析し、次に双方向リモコンユニット２０から送られてくるコマンドを待つ。一定時間内に双方向リモコンユニット２０からコマンドが送られてこなければ、直前のコマンドを無効とする。反対に一定時間内にコマンドを受信した場合には、コマンドは有効とみなして、次の処理を行う。
【００２７】
例えば、地上波デジタル映像の指定された番組であるならば、ＣＰＵ１０は信号線L１４により地上波デジタルチューナ１の選局を行う。
【００２８】
選局された番組映像は、復調部２、デマルチプレクサ３、ＨＤ映像デコーダ４そして解像度変換部５を経由して信号線L１４上へ送出され、番組映像情報はリモコンＩ／Ｆ１７を経由して無線で、双方向リモコンユニット２０の受信部２５へ送られる。受信部２５で受信した映像信号は、ＣＰＵ２１によって表示部２３の解像度にあった表示形式にて加工され表示される。
【００２９】
双方向リモコンユニット２０が電源部２７の二次電池のみで駆動されている場合において、電源部２７の電圧レベルが低下し、検知部２６が規定値以下の電圧に低下したと検知したとき、ＣＰＵ２１は双方向リモコンユニット２０の駆動電圧が低下した旨のコマンドを送信部２４を介してテレビジョン受像機のリモコンＩ／Ｆ１７へ送信し、テレビジョン受像機内のＣＰＵ１０は、該コマンドを受信することにより、今までリモコンＩ／Ｆ１７を介して双方向リモコンユニット２０に連続して送信していた映像情報を任意の周期でコマ送り的な静止画像に変更する（静止画送信）。
【００３０】
一方、双方向リモコンユニット２０は、コマ落ちされた映像情報（静止画）を先の動画像と同じプロセスで表示部２３へ表示することにより、一連の動作は終了する。
【００３１】
図３は、図１の双方向リモコンユニットによって実行される消費電力低減処理の手順を示すフローチャートである。
【００３２】
図３において、まず、双方向リモコンユニット２０内の電源入力部２８に外部電源が供給されているか否か、例えば、ACアダプタから電源が電源線L３０を介して供給され、信号線L２９上の電圧レベルが規定電圧以上であるか否かを判別し（ステップＳ１）、規定電圧以上であるときは、外部電源が供給中であると判断して、双方向リモコンユニット２０はテレビジョン受像機に動画像表示要求のコマンドを送信し（切換え手段、要求手段）、テレビジョン受像機は、受信したコマンドをＣＰＵ１０で解析し、テレビジョン受像機内で選局された映像番組の動画像を双方向リモコンユニット２０に送信して（ステップＳ４）、本処理を終了する。
【００３３】
ステップＳ１の判別の結果、規定電圧未満であるときは、外部電源が供給中でないと判断して、検知部２６により信号線L２８を介して電源部２７の電圧レベルを判別し（ステップＳ２）、電圧レベルが規定電圧以上にあれば、ＣＰＵ２１は、電源部２７の二次電池の容量が十分であると判断して、動画表示要求を行ってテレビジョン受像機に動画像を送信させて（ステップＳ４）、本処理を終了する。
【００３４】
一方、ステップＳ２の判別の結果、電圧レベルが規定電圧未満のときは、電源部２７の二次電池の容量低下と判断して、双方向リモコンユニット２０はテレビジョン受像機に静止画像表示要求のコマンドを送信し、テレビジョン受像機は、受信したコマンドをＣＰＵ１０で解析し、動画像ではなく、静止画像を双方向リモコンユニット２０に送信して（ステップＳ３）、本処理を終了する。
【００３５】
図３の処理によれば、双方向リモコンユニット２０の電源部２８の二次電池の容量が低下したときは（ステップＳ２でＮＯ）、双方向リモコンユニット２０はテレビジョン受像機に静止画像表示要求のコマンドを送信して、テレビジョン受像機に動画像でなく、静止画像を送信させる（ステップＳ３）ので、双方向リモコンユニット２０の消費電力を低減することができる。
【００３６】
図４は、図３の消費電力低減処理の変形例の手順を示すフローチャートである。
【００３７】
図３の処理では、双方向リモコンユニット２０は、その二次電池の電圧を常に監視し、その供給電圧状態に応じて、テレビジョン受像機へ動画像又は静止画像を配信する旨のコマンドをテレビジョン受像機へ送信しているのに対して、本変形例では、双方向リモコンユニット２０自体が、常時テレビジョン受像機から動画像を受信し、二次電池の供給電圧に応じて動画像と静止画像の切り換えを行うものである。
【００３８】
本変形例の構成は、図２のものと基本的に同じである。
【００３９】
図４において、まず、双方向リモコンユニット２０内の電源入力部２８に外部電源が供給されているか否か、例えば、ACアダプタから電源が電源線L３０を介して供給され、信号線L２９上の電圧レベルが規定電圧以上であるか否かを判別し（ステップＳ１）、規定電圧以上であるときは、外部電源が供給中であると判断して、双方向リモコンユニット２０は、テレビジョン受像機から送信されてくる動画像を受信部２５を介して受信すると共に表示部２３に表示して（ステップＳ１４）、本処理を終了する。
【００４０】
ステップＳ１の判別の結果、信号線Ｌ２９の電圧レベルが既定値未満のときは、外部電源が供給中でないと判断して、検知部２６により信号線L２８を介して電源部２７の電圧レベルを判別し（ステップＳ１２）、電圧レベルが規定電圧以上にあれば、ＣＰＵ２１は、電源部２７の二次電池の容量が十分であると判断して、双方向リモコンユニット２０は、テレビジョン受像機から送信されてくる動画像信号を受信部２５を介して受信すると共に表示部２３に表示する動画像表示処理を行って（ステップＳ１４）、本処理を終了する。
【００４１】
一方、ステップＳ２の判別の結果、電圧レベルが規定電圧未満のときは、電源部２７の二次電池の容量低下と判断して、双方向リモコンユニット２０は、テレビジョン受像機から送信されてくる動画像信号を受信部２５で介して受信すると共に表示部２３に表示する動画像表示処理を中断して、受信した動画像信号をメモリ２２に一旦格納し、所定時間経過後、再度メモリ２２から該動画像信号を静止画像として表示部２３に表示して（ステップＳ１４）（切換え手段、変換手段）、本処理を終了する。
【００４２】
双方向リモコンユニット２０は、静止画像表示中にテレビジョン受像機から受信した動画像信号をメモリ２２に格納せず無視する。静止画像表示中に、外部電源の供給が再開されたときは、静止画像表示から動画像表示処理に移行する（ステップＳ１４）。
【００４３】
図４の処理によれば、双方向リモコンユニット２０の電源部２８の二次電池の容量が低下したときは（ステップＳ１２でＮＯ）、テレビジョン受像機から送信されてくる動画像信号を受信部２５で介して受信すると共に表示部２３に表示する動画像表示処理を中断して、受信した動画像信号をメモリ２２に一旦格納し、所定時間経過後、再度メモリ２２から該動画像信号を静止画像として表示部２３に表示する（ステップＳ１３）ので、双方向リモコンユニット２０の消費電力を低減することができる。
【００４４】
図５は、図１の双方向リモコンユニットの変形例の内部構成を示すブロック図である。
【００４５】
図１の双方向リモコンユニットでは、電源部２７として充放電可能な二次電池を用いているが、本変形例では、充放電できない一次電池を用いる。
【００４６】
図５の双方向リモコンユニットは、その構成が図１の双方向リモコンユニットと基本的に同じであり、電源部２７が一次電池であることから、電源入力部２８を有さず、一次電池低下時の警告音を発するスピーカ２９を有する点のみで異なる。
【００４７】
以下、図５の双方向リモコンユニット及び図２のテレビジョン受像機の作動を説明する。
【００４８】
図５及び図２において、双方向リモコンユニット２０内の検知部２６は、常時電源部２７の電圧レベルを監視している。検知部２６は信号線L２８上の電圧レベルを監視し、予め設定されている電圧レベルに達していれば、電源部２７の一次電池は動画表示駆動可能状態にあると判断し、逆に、設定された電圧レベル以下であれば、静止画表示駆動可能状態又は双方向リモコンユニット２０の非駆動状態に近づきつつあると判断する。
【００４９】
今、双方向リモコンユニット２０が良好な一次電池で駆動されているとすると、ＣＰＵ２１は検知部２６からの信号を信号線L２０を介して認識する。これにより、該ＣＰＵ２１は信号線L２０を介して送信部２４へ、双方向リモコンユニット２０が、良好な状態で駆動していることを送信部２４を経由して、無線で該テレビジョン受像機のリモコンＩ／Ｆ１７へ送信する。
【００５０】
テレビジョン受像機のＣＰＵ１０は、このコマンドを解析し、次に双方向リモコンユニット２０から送られてくるコマンドを待つ。一定時間内に双方向リモコンユニット２０からコマンドが送られてこなければ、直前のコマンドを無効とする。反対に一定時間内にコマンドを受信した場合には、コマンドは有効とみなして、次の処理を行う。
【００５１】
例えば、地上波デジタル映像の指定された番組であるならば、ＣＰＵ１０は信号線L１４により地上波デジタルチューナ１の選局を行う。
【００５２】
選局された番組映像は、復調部２、デマルチプレクサ３、ＨＤ映像デコーダ４そして解像度変換部５を経由して信号線L１４上へ送出され、番組映像情報はリモコンＩ／Ｆ１７を経由して無線で、双方向リモコンユニット２０の受信部２５へ送られる。受信部２５で受信した映像信号は、ＣＰＵ２１によって表示部２３の解像度にあった表示形式にて加工され表示される。
【００５３】
電源部２７の電圧レベルが低下し、検知部２６が規定値以下の電圧に低下したと検知したとき、ＣＰＵ２１は双方向リモコンユニット２０の駆動電圧が低下した旨のコマンドを送信部２４を介してテレビジョン受像機本体のリモコンＩ／Ｆ１７へ送信し、テレビジョン受像機内のＣＰＵ１０は、該コマンドを受信することにより、今までリモコンＩ／Ｆ１７を介して双方向リモコンユニット２０に連続して送信していた映像情報を任意の周期でコマ送り的な静止画像に変更する（静止画送信）。
【００５４】
一方、双方向リモコンユニット２０は、コマ落ちされた映像情報（静止画）を先の動画像と同じプロセスで表示部２３へ表示することにより、一連の動作は終了する。
【００５５】
図６は、図５の双方向リモコンユニットによって実行される消費電力低減処理の手順を示すフローチャートである。
【００５６】
図６において、まず、双方向リモコンユニット２０内の電源部２７の一次電池に十分な容量があるか否か、例えば、信号線L２８上の電圧レベルが規定電圧以上であるか否かを判別し（ステップＳ２１）、規定電圧以上であるときは、一次電池の容量が十分であると判断して、双方向リモコンユニット２０はテレビジョン受像機に動画像表示要求のコマンドを送信し、テレビジョン受像機は、受信したコマンドをＣＰＵ１０で解析し、テレビジョン受像機内で選局された映像番組の動画像を双方向リモコンユニット２０に送信して（ステップＳ２４）、本処理を終了する。
【００５７】
ステップＳ２１の判別の結果、規定電圧未満であるときは、一次電池の容量が十分でないと判断して、速やかに一次電池を交換するようにユーザに傾向するために、ＣＰＵ２１がスピーカ２９に警告音を発生させるか、又は表示部２３に警告表示を行わせ（ステップＳ２２）（警告手段）、次いで、双方向リモコンユニット２０は、テレビジョン受像機に静止画像表示要求のコマンドを送信し（切換え手段、要求手段）、テレビジョン受像機は、受信したコマンドをＣＰＵ１０で解析し、動画像ではなく、静止画像を双方向リモコンユニット２０に送信して（ステップＳ２３）、本処理を終了する。
【００５８】
図６の処理によれば、双方向リモコンユニット２０の電源部２８の一次電池の容量が十分でないときは（ステップＳ２１でＮＯ）、速やかに一次電池を交換するようにユーザに傾向するために、ＣＰＵ２１がスピーカ２９に警告音を発生させるか、又は表示部２３に警告表示を行わせた（ステップＳ２２）上で、双方向リモコンユニット２０はテレビジョン受像機に静止画像表示要求のコマンドを送信して、テレビジョン受像機に動画像でなく、静止画像を送信させる（ステップＳ２３）ので、双方向リモコンユニット２０の消費電力を低減することができることはもとより、一次電池の交換を速やかに行うことができる。
【００５９】
ステップＳ２２における警告表示は、双方向リモコンユニット２０に別途設けたＬＥＤにより行ってもよい。このことは、以下の例において同様である。
【００６０】
図７は、図６の消費電力低減処理の変形例の手順を示すフローチャートである。
【００６１】
図６の処理では、双方向リモコンユニット２０は、その二次電池の電圧を常に監視し、その供給電圧状態に応じて、テレビジョン受像機へ動画像又は静止画像配信する旨のコマンドをテレビジョン受像機へ送信しているのに対して、本変形例では、双方向リモコンユニット２０自体が、常時テレビジョン受像機から動画像を受信し、二次電池の供給電圧に応じて動画像と静止画像の切り換えを行うものである。
【００６２】
図７において、まず、双方向リモコンユニット２０内の電源部２７の一次電池に十分な容量がるか否か、例えば、信号線L２８上の電圧レベルが規定電圧以上であるか否かを判別し（ステップＳ２１）、規定電圧以上であるときは、一次電池の容量が十分であると判断して、双方向リモコンユニット２０は、テレビジョン受像機から送信されてくる動画像を受信部２５を介して受信すると共に表示部２３に表示して（ステップＳ３４）、本処理を終了する。
【００６３】
ステップＳ３１の判別の結果、規定電圧未満であるときは、一次電池の容量が十分でないと判断して、速やかに一次電池を交換するようにユーザに傾向するために、ＣＰＵ２１がスピーカ２９に警告音を発生させるか、又は表示部２３に警告表示を行わせ（ステップＳ３２）（警告手段）、次いで、双方向リモコンユニット２０は、テレビジョン受像機から送信されてくる動画像信号を受信部２５で介して受信すると共に表示部２３に表示する動画像表示処理を中断して、受信した動画像信号をメモリ２２に一旦格納し、所定時間経過後、再度メモリ２２から該動画像信号を静止画像として表示部２３に表示して（ステップＳ３３）（切換え手段、変換手段）、本処理を終了する。
【００６４】
双方向リモコンユニット２０は、静止画像表示中にテレビジョン受像機から受信した動画像信号をメモリ２２に格納せず無視する。静止画像表示中に、外部電源の供給が再開されたときは、静止画像表示から動画像表示処理に移行する（ステップＳ３４）。
【００６５】
図７の処理によれば、双方向リモコンユニット２０の電源部２８の一次電池の容量が十分でないときは（ステップＳ３１でＮＯ）、速やかに一次電池を交換するようにユーザに傾向するために、ＣＰＵ２１がスピーカ２９に警告音を発生させるか、又は表示部２３に警告表示を行わせた（ステップＳ２２）上で、テレビジョン受像機から送信されてくる動画像信号を受信部２５で介して受信すると共に表示部２３に表示する動画像表示処理を中断して、受信した動画像信号をメモリ２２に一旦格納し、所定時間経過後、再度メモリ２２から該動画像信号を静止画像として表示部２３に表示する（ステップＳ１３）ので、双方向リモコンユニット２０の消費電力を低減することができるはもとより、一次電池の交換を速やかに行うことができる。
【図面の簡単な説明】
【００６６】
【図１】本発明の実施の形態に係る双方向リモコンユニットの内部構成を示すブロック図である。
【図２】図１の双方向リモコンユニットによって操作されるテレビジョン受像機の内部構成のブロック図である。
【図３】図１の双方向リモコンユニットによって実行される消費電力低減処理の手順を示すフローチャートである。
【図４】図３の消費電力低減処理の変形例の手順を示すフローチャートである。
【図５】図１の双方向リモコンユニットの変形例の内部構成を示すブロック図である。
【図６】図５の双方向リモコンユニットによって実行される消費電力低減処理の手順を示すフローチャートである。
【図７】図６の消費電力低減処理の変形例の手順を示すフローチャートである。
【符号の説明】
【００６７】
１  地上波デジタルチューナ
２  復調部
３  マルチプレクサ
４  ＨＤ映像デコーダ
５  解像度変換
６  デジタルＩ／Ｆ
７  表示器
８  ＢＳ／ＣＳチューナ
９  復調部２
１０  ＣＰＵ
１１  セレクタ（ＳＥＬＥＣＴ）
１２  コネクタ
１３  記録装置（ＨＤＤ）
１４  バスＩ／Ｆ
１６  メモリ
１７  リモコンＩ／Ｆ
２０  双方向リモコン本体
２１  ＣＰＵ
２２  メモリ
２３  表示部
２４  送信部
２５  受信部
２６  検知部
２７  電源部
２８  電源入力部
２９  スピーカ
【図１】
2006203333.tif 000003
【図２】
2006203333.tif 000004
【図３】
2006203333.tif 000005
【図４】
2006203333.tif 000006
【図５】
2006203333.tif 000007
【図６】
2006203333.tif 000008
【図７】
2006203333.tif 000009